(57)【要約】【課題】空気ノズルのピストンロッドと共に用いるのに適した電動式ポンプを提供すること。【解決手段】空気ノズル（８）のピストンロッド（８１）と共に用いるのに適した電動式ポンプは、電磁弁（５３）を有するボード（５）を含む。Ｚ状のプッシュロッド（５４）は電磁弁によって駆動され、これによって、ピストンロッドが運動する。モータ（２）が回転しているとき、プッシュロッドの運動が、物が膨らむように電動式ポンプからの空気が物内に注入されることが可能にし、モータが回転していないとき、プッシュロッドの運動が、物が収縮するように物内の空気が物の外部に流れることを可能にする。【選択図】　　　図１
0003098534.tif 000002
【実用新案登録請求の範囲】
【請求項１】
ベースと、モータと、該モータに取り付けられたモータブラケットと、該モータブラケットに回転可能に取り付けられた羽根組立体と、電磁弁を有するボードと、前記モータ、前記モータブラケット、前記羽根組立体および前記ボードを前記ベースとの間に挟んで前記ボードおよび前記ベースに取り付けられたカバーとを含む、空気ノズルのピストンロッドと共に用いるのに適した電動式ポンプであって、さらに、
前記電磁弁によって駆動されるＺ状のプッシュロッドであって該プッシュロッドの運動によって前記ピストンロッドを運動させるプッシュロッドを含み、
これにより、前記モータが回転しているとき、膨らませようとする物内に前記電動式ポンプからの空気が注入されることを可能にし、前記モータが回転していないとき、前記物内の空気が前記物の外部に流れることを可能にする、電動式ポンプ。
【考案の詳細な説明】
【０００１】
【考案の属する技術分野】
本考案は、電動式ポンプに関し、特に、電動式ポンプのプッシュロッドを前記ポンプの電磁弁によって駆動し、これにより、空気ノズルのピストンロッドを押すことができる、電動式ポンプに関する。
【０００２】
【従来の技術】
従来においては、人が物を膨らませようとするときは、一般に、ポンプによって物の内部に空気を入れることが必要である。他方、物内から空気を抜くときには、人は両手を使って物を押し縮め、物内の空気を抜かなければならない。
【０００３】
手を使って物内の空気を抜くことは、物の寸法が小さいときは実用的である。しかし、物の寸法が大きいとき、例えば、物が空気マットレスや空気ベッドである場合には、人は、物内の空気を抜くのに必要な労力を非常に長い時間にわたって費やすことになる。手を使って物内の空気を抜くことの不都合な点を解消するために、従来においては、以下のような機能を有する空気ノズルが物に取り付けられている。すなわち、この空気ノズルにあっては、物内の空気抜きが必要になったとき、人はピストンロッドを後方から物内へ押し、これにより、物内へのピストンの運動が空気ノズルを開き、物の内部圧力が物の外部圧力より大きくなって、空気が物の外部へ迅速に流れる。
【０００４】
また、前記空気ノズルにあっては、人自身のかたわらに電動式ポンプがある場合又は物の側に電動式ポンプを備えている場合であっても、人は、いつも、物内へピストンロッドを後方から手動で押して物内の空気を抜かなければならないので、わずらわしさを生じる。
【０００５】
【考案が解決しようとする課題】
前記した不都合な点を解消するために、本考案の目的は、前記した問題を軽減することができる改良型の電動式ポンプを提供することにある。
【０００６】
【課題を解決するための手段】
本考案に係る電動式ポンプは、膨張又は収縮させようとする物に取り付けられた空気ノズルのピストンロッドに係合されるプッシュロッドを有する電動式ポンプであって、前記プッシュロッドは、要求された目的を達成するため、電動モータの電磁弁によって駆動される。
【０００７】
すなわち、本考案に係る電動式ポンプは、ベースと、モータと、該モータに取り付けられたモータブラケットと、該モータブラケットに回転可能に取り付けられた羽根組立体と、電磁弁を有するボードと、前記モータ、前記モータブラケット、前記羽根組立体および前記ボードを前記ベースとの間に挟んで前記ボードおよび前記ベースに取り付けられたカバーとを含む、空気ノズルのピストンロッドと共に用いるのに適した電動式ポンプであって、さらに、前記電磁弁によって駆動されるＺ状のプッシュロッドであって該プッシュロッドの運動によって前記ピストンロッドを運動させるプッシュロッドを含み、これにより、前記モータが回転しているとき、膨らませようとする物内に前記電動式ポンプからの空気が注入されることを可能にし、前記モータが回転していないとき、前記物内の空気が前記物の外部に流れることを可能にする。
【０００８】
本考案の他の特徴および利点は、添付図面を参照しての以下の説明からさらに明らかとなろう。
【０００９】
【考案の実施の形態】
図１を参照するに、本考案に係る電動式ポンプは、円筒形のベース１と、モータ２と、モータブラケット３と、羽根組立体４と、ボード５と、カバー６とを含む。
【００１０】
ベース１は、閉鎖端部と、開放端部とを有する。
【００１１】
モータ２は、該モータの外部に伸びるモータシャフト２１と、モータ２の上面に形成された複数のねじ穴２２とを有する。
【００１２】
モータブラケット３は、モータシャフト２１に対応してモータブラケット３の外面を貫通するように形成された貫通穴３１と、ねじ穴２２に対応する複数の止め穴３２とを有する。複数の第１のボルト３３が、前記止め穴および前記ねじ穴に対応して準備される。
【００１３】
空気流発生用の羽根（図示せず）を備える複数の羽根組立体４は、モータ２のモータシャフト２１に対応するシャフト穴４１を有する。
【００１４】
ボード５は、該ボードの外面を貫通するように形成された複数の位置合わせ穴５１と、該位置合わせ穴に対応する複数の第２のボルト５２と、必要に応じて磁界を生じさせるべくボード５の上部に取り付けられた電磁弁５３と、電磁弁５３に関して可動である電磁弁５３に係合されたプッシュロッド５４とを備える。カバー６は、位置合わせ穴５１および第２のボルト５２に対応して下方に伸びる複数の脚部（図示せず）を有する。
【００１５】
組み立てにおいて、まず、モータシャフト２１を、モータブラケット３のねじ穴３１および羽根組立体４のシャフト穴４１に該２つの穴から伸びるように通す。次いで、モータ２とモータブラケット３との係合のために、第１のボルト３３を止め穴３２およびねじ穴２２に通す。
【００１６】
次に、ボード５とカバー６との係合のために、第２のボルト５２を、電磁弁が取り付けられたボード５の位置合わせ穴５１に通す。
【００１７】
その後、カバー６およびボード５を、ベース１との間に羽根組立体４、モータブラケット３およびモータ２を挟んで、ベース１に取り付ける。
【００１８】
図２を参照するに、本考案に係る電動式ポンプの組み立て後、電動式ポンプの内部と連通するノズル７が形成される。
【００１９】
図３および図４を参照するに、空気抜きをする対象となる物に空気ノズル８が設けられており、該空気ノズルはバネ駆動式のピストンロッド８１を有する。前記物の内面にピストンロッド８１のシール８２が宛われたときにシール８２と前記物の内面との係合により前記物の内部が気密であるように、ピストンロッド８１は、前記物内の空気通路をふさぐシール８２に取り付けられている。シール８２が前記物の内面から離れたとき、前記物の外部の空気が前記物の内部の空気と接触することができる。
【００２０】
図４を参照するに、Ｚ状のプッシュロッド５４の端部がピストンロッド８１に係合している。したがって、電磁弁５３がプッシュロッド５４を押すように駆動されたとき、プッシュロッド５４は、ピストンロッド８１が運動するように押し、これによって、膨張又は収縮の対象となる物内の空気通路が開かれる。したがって、モータ２が回転しているとき、膨張させようとする物内にポンプで空気を注入することができる。モータ２が回転していないとき、ピストンロッド８１およびプッシュロッド５４の運動が、前記物内の圧縮空気が前記物の外部に流れることを可能にする。
【００２１】
本考案に係る電動式ポンプにおいては、電動式ポンプが空気ノズルに接続されている限り、前記物の膨張又は収縮が必要か否かに関わらず、作動について全く手を使う必要がないという利点がある。ユーザーは、前記物の空気抜きが必要であるときピストンロッドを手動で押す必要がない。
【００２２】
本考案の多くの特徴および利点について、本考案の構造および機能の詳細と共に説明した。開示したのは図示の例についてのみであるが、詳細において、特に、部品の形状、寸法および配置の事項に関して変更が可能であることは、当該技術分野の知識を有する者にとって明らかである。
【図面の簡単な説明】
【図１】本考案に係る電動式モータの分解斜視図。
【図２】本考案に係る電動式モータの斜視図。
【図３】膨張させようとする空気マットレスに取り付けられた空気ノズルの斜視図。
【図４】プッシュロッドと空気ノズルのピストンロッドとの係合を示す部分断面図。
【符号の説明】
１　ベース
２　モータ
３　モータブラケット
４　羽根組立体
５　ボード
６　カバー
７　ノズル
８　空気ノズル
２１　モータシャフト
２２　ねじ穴
３１　貫通穴
３２　止め穴
３３　第１のボルト
４１　シャフト穴
５１　位置合わせ穴
５２　第２のボルト
５３　電磁弁
５４　プッシュロッド
８１　ピストンロッド
８２　シール
【図１】
0003098534.tif 000003
【図２】
0003098534.tif 000004
【図３】
0003098534.tif 000005
【図４】
0003098534.tif 000006